(57)【要約】【課題】  従来の電磁ステッピングモータのようなアクチュエータを用いず、動力伝達機構も不要であり、光軸方向の寸法の短尺化にも対応可能な光学装置を提供する。【解決手段】  光学装置（３０）は、焦点調節用レンズ（１１）と、変倍用レンズ（３、４）を備えている。焦点調節用レンズ（１１）は、光軸方向に伸長する第一電歪アクチュエータ（８ｂ）により、光軸方向に進出する。一方の変倍用レンズ（３、４）は、カム部材（７）を備えた駆動装置により光軸方向に進出する。このカム部材７は、光軸を中心に周方向に伸長する第二電歪アクチュエータ（８ｃ）により、回転し、変倍用レンズ（３、４）を光軸方向に進出する。第一電歪アクチュエータ（８ｂ）と、第二電歪アクチュエータ（８ｃ）は半径の異なる円弧状に成形され、内外に並列して配置されている。これにより光学装置の薄型化が図られている。【選択図】          図１
2006058657.tif 000002
【特許請求の範囲】
【請求項１】
焦点調節用レンズと、変倍用レンズと、
光軸方向に伸長する第一電歪アクチュエータと、
光軸を中心に周方向に伸長する第二電歪アクチュエータと
を有し、
前記焦点調節用レンズ又は前記変倍用レンズのいずれか一方のレンズは、前記第一電歪アクチュエータの伸長動作に伴って光軸方向に移動され、他方のレンズは、前記第二電歪アクチュエータの伸長動作に伴って光軸方向に移動される
ことを特徴とする光学装置。
【請求項２】
前記第一電歪アクチュエータ及び前記第二電歪アクチュエータは、それぞれ帯状の電歪アクチュエータを円弧状に形成し、一方の円弧が他方の円弧の内側に位置するように前記第一電歪アクチュエータ及び前記第二電歪アクチュエータを内外に並列させて配置したことを特徴とする請求項１記載の光学装置。
【請求項３】
前記焦点調節用レンズ又は前記変倍用レンズを保持し、前記レンズの半径方向に突出した突起を有するレンズ保持部材と、
軸方向が光軸方向と一致する筒体の周壁に前記突起が貫通する光軸方向の縦溝が形成されたガイド部材と、
前記ガイド部材に回転可能に保持され、軸方向が光軸方向と一致する筒体の周壁に前記突起が係合する溝が形成され、前記第二電歪アクチュエータの伸長動作に伴って回転するカム部材と
を有することを特徴とする請求項１又は２記載の光学装置。
【請求項４】
前記第一電歪アクチュエータと前記第二電歪アクチュエータとは一体的に形成した一体型電歪アクチュエータであり、前記第一電歪アクチュエータと前記第二電歪アクチュエータとの境界部分で固定されることにより前記第一電歪アクチュエータ又は前記第二電歪アクチュエータの伸長の相互の影響を打ち消す固定部を有することを特徴とする請求項２又は３記載の光学装置。
【請求項５】
前記固定部は、前記第一電歪アクチュエータと前記第二電歪アクチュエータとの境界部分における光軸方向の幅を幅狭に形成したくびれ部であることを特徴とする請求項４記載の光学装置。
【発明の詳細な説明】
【技術分野】
【０００１】
本発明は、カメラ等に適用される光学装置に関し、特に、レンズを光軸方向に進出させる機構に関する。
【背景技術】
【０００２】
デジタルカメラ等の映像撮影装置は、一般的に焦点調節用レンズ、変倍用レンズを有し、これらのレンズを光軸方向に沿って進退移動させることによって焦点調節、変倍を行う光学装置を備えている。ここで、これらの焦点調節用レンズ、変倍用レンズを駆動するアクチュエータとしては、電磁ステッピングモータ、ボイスコイルモータ、圧電モータ等が用いられ、これらのアクチュエータで発生させた力を利用してレンズの進退移動を行っている。すなわち、このようなアクチュエータの力を歯車やカム等の動力伝達機構を介して焦点調節用レンズ、変倍用レンズを光軸方向に移動させる。しかし、これらのアクチュエータでは前記のような動力伝達機構の存在が装置全体の小型化の妨げとなっていた。また、アクチュエータ自体もコイルを備えていなければならない等、装置の小型化を図る上で、解決し難い問題を有していた。
【０００３】
以上のような問題を解決するものとして、特許文献１が提案されている。特許文献１には、前記のような電磁ステッピングモータ等の従来のアクチュエータに代えて電歪効果を利用した電歪アクチュエータを採用し、装置の簡略化、小型化等を図った光学装置が開示されている。
【０００４】
【特許文献１】特開２００３−２１５４２９号公報
【発明の開示】
【発明が解決しようとする課題】
【０００５】
しかしながら、特許文献１記載の光学装置では、光軸方向と平行に設置した主ガイド軸及び副ガイド軸に摺動自在にレンズを支持させ、この主ガイド軸に沿うように電歪アクチュエータを取り付けている。ここで、主ガイド軸及び副ガイド軸に支持させたレンズは、焦点調節用レンズと変倍用レンズとがあるため、これらのレンズ毎に焦点調節用アクチュエータ、変倍用アクチュエータが主ガイド軸に取り付けられている。従って、光軸方向に少なくとも焦点調節用レンズ、焦点調節用アクチュエータ、変倍用レンズ、変倍用アクチュエータが直列して配置されている。このため、特許文献１記載の光学装置では、ある程度の光軸方向寸法を必要とし、装置の小型化という点で未だ改良の余地があった。
【０００６】
そこで本発明は、従来の電磁ステッピングモータのようなアクチュエータを用いず、動力伝達機構も不要であり、光軸方向の寸法の短尺化にも対応可能な光学装置を提供することを目的とする。
【課題を解決するための手段】
【０００７】
かかる目的を達成する本発明の光学装置は、焦点調節用レンズと、変倍用レンズと、光軸方向に伸長する第一電歪アクチュエータと、光軸を中心に周方向に伸長する第二電歪アクチュエータとを有し、前記焦点調節用レンズ又は前記変倍用レンズのいずれか一方のレンズは、前記第一電歪アクチュエータの伸長動作に伴って光軸方向に移動され、他方のレンズは、前記第二電歪アクチュエータの伸長動作に伴って光軸方向に移動されることを特徴とする（請求項１）。ここで、前記第一電歪アクチュエータ及び前記第二電歪アクチュエータは、それぞれ帯状の電歪アクチュエータを円弧状に形成し、一方の円弧が他方の円弧の内側に位置するように前記第一電歪アクチュエータ及び前記第二電歪アクチュエータを内外に並列させて配置した構成とすることが望ましい（請求項２）。
【０００８】
すなわち、本発明の光学装置では、焦点調節用レンズ又は変倍用レンズの一方のレンズは、光軸方向に伸長する第一電歪アクチュエータによって光軸方向の移動を実現し、他方のレンズは、光軸を中心に周方向に伸長する第二電歪アクチュエータによって光軸方向の移動を実現する。このような光学装置における装置の薄型化という観点から、二つの電歪アクチュエータが光軸方向に並列する状態は好ましくなく、二つの電歪アクチュエータが光軸方向と直交する方向に並列していることが好ましい。そこで、例えば、前記のように帯状である第一及び第二電歪アクチュエータを、それぞれ円弧状に成形し、一方の円弧が他方の円弧の内側に位置するように内外に並列させて配置すれば光軸方向の装置の寸法が嵩張ることがなく、装置の薄型化を実現することができる。
【０００９】
ここで、本発明が採用する電歪アクチュエータは、シリコン等の柔軟性の高い絶縁膜を電極で挟んだ板状の構成を有する。このような電歪アクチュエータは、電極に電圧を印加すると電極同士が引き寄せあい、絶縁膜が押し潰されるような力を受ける。これにより、何らの拘束もない状態で電極に電圧を印加すれば、絶縁膜は、縦方向及び横方向に伸長する。そこで、第一電歪アクチュエータは光軸方向は規制せず、光軸を中心とする周方向の伸長を規制して光軸方向にのみ伸長するようにし、一方の第二電歪アクチュエータは光軸方向の伸長を規制して、光軸を中心とする周方向の伸長を規制せず光軸を中心とする周方向にのみ伸長するようにする。
【００１０】
また、焦点調節用レンズ又は変倍用レンズを保持し、レンズの半径方向に突出した突起を有するレンズ保持部材と、軸方向が光軸方向と一致する筒体の周壁に前記突起が貫通する光軸方向の縦溝が形成されたガイド部材と、ガイド部材に回転可能に保持され、軸方向が光軸方向と一致する筒体の周壁に前記突起が係合する溝が形成され、前記第二電歪アクチュエータの伸長動作に伴って回転するカム部材とを有する構成とすることができる（請求項３）。
【００１１】
光軸を中心に周方向に伸長する第二電歪アクチュエータの伸長動作に伴って前記焦点調節用レンズ又は前記変倍用レンズを光軸方向に移動させるが、このような駆動手段としては、回転するカム部材を用いることが考えられる。このようなカム部材を回転させるために第二電歪アクチュエータをレンズ鏡筒に沿って円弧状とすれば、直線的な状態で使用するよりスペース的に無駄が少ない。
【００１２】
以上のような構成の光学装置において、前記第一電歪アクチュエータと前記第二電歪アクチュエータとは一体的に形成した一体型電歪アクチュエータであり、前記第一電歪アクチュエータと前記第二電歪アクチュエータとの境界部分で固定されることにより前記第一電歪アクチュエータ又は前記第二電歪アクチュエータの伸縮の相互の影響を打ち消す固定部を有する構成とすることができる（請求項４）。
【００１３】
このような一体型電歪アクチュエータとする構成とすれば、一つの電歪アクチュエータによって焦点調節用レンズの光軸方向への移動動作と、変倍用レンズの光軸方向への移動動作とを同時に実現できる。但し、このような一体型電歪アクチュエータでは、第一電歪アクチュエータと第二電歪アクチュエータとの間で相互に伸長の影響を及ぼし合うことが考えられる。焦点調節用レンズ、変倍用レンズの移動を緻密に制御するためには、このような相互の影響はできるだけ回避することが望ましい。そこで、前記第一電歪アクチュエータと前記第二電歪アクチュエータとの境界部分に光軸方向と直交する方向の伸長の影響を相互に打ち消す固定部を有する構成とすれば前記のような相互の影響を軽減、解消することができる。
【００１４】
このような固定部は、前記第一電歪アクチュエータと前記第二電歪アクチュエータとの境界部分における光軸方向の幅を幅狭に形成したくびれ部とすることができる（請求項５）。
【００１５】
固定部をこのような形状のくびれ部とすれば固定がしやすく、前記第一電歪アクチュエータと前記第二電歪アクチュエータとの間における、伸長の相互の影響を打ち消すことができる。
【発明の効果】
【００１６】
本発明によれば、光軸方向に伸長する第一電歪アクチュエータにより焦点調節用レンズ又は変倍用レンズのいずれか一方のレンズを光軸方向に移動させるとともに、駆動手段を介して光軸を中心に周方向に伸長する第二電歪アクチュエータにより、他方のレンズを光軸方向に進出させるようにしたので、光学装置を小型化することができた。特に、前記第一電歪アクチュエータ及び前記第二電歪アクチュエータをそれぞれ帯状の電歪アクチュエータを円弧状に成形し、一方の円弧が他方の円弧の内側に位置するように前記第一電歪アクチュエータ及び前記第二電歪アクチュエータを内外に並列させて配置したことにより光学装置の薄型化を達成することができる。
【発明を実施するための最良の形態】
【００１７】
以下、本発明を実施するための最良の形態を図面と共に詳細に説明する。
【実施例１】
【００１８】
本実施例の光学装置３０の構成につき、図面を参照しつつ説明する。図１は光学装置３０の分解斜視図であり、図２は、光学装置３０の各構成部品の形状が明確となるように各構成部品の一部分を切り取った状態とした分解斜視図である。図３（ａ）及び（ｂ）は、それぞれ組み立てた状態の光学装置３０の断面図であり、（ａ）は、（ｂ）におけるＢ−Ｂ断面図、（ｂ）は、（ａ）におけるＡ−Ａ断面図である。
【００１９】
まず、基板１上に設置した撮像素子３１を取り囲むようにケース２を取り付けてある。このケース２には図に示すように、変倍用第一レンズ３を保持した第一レンズ保持部材５、変倍用第二レンズ４を保持した第二レンズ保持部材６、カム部材７、電歪アクチュエータ８、押え板９、焦点調節用レンズ１１を保持した第三レンズ保持部材１０、ばね材１３が収められ、これらの要素が脱落しないように蓋部材１２が取り付けられる。さらに、基板１上に電歪アクチュエータの制御を行うＩＣを内蔵したドライバ１４が設置されて光学装置３０が構成されている。以下、各構成要素につき詳細に説明する。
【００２０】
変倍用のレンズは、変倍用第一レンズ３、変倍用第二レンズ４の２枚のレンズが取り付けられている。これらの変倍用のレンズは、それぞれ第一レンズ保持部材５、第二レンズ保持部材６に保持されている。第一レンズ保持部材５は、半径方向に突出し、中心に対して対称な位置に一対の突起５ａを有しており、第二レンズ保持部材６も、中心に対して対称な位置に一対の突起６ａを有している。一方、ケース２内に回動自在に設置されるカム部材７には、その周壁に螺旋溝７ｂ及び７ｃを有している。螺旋溝７ｂ、７ｃはそれぞれ中心に対して対称な位置に溝が対をなしている。これらの螺旋溝７ｂ、７ｃには突起５ａ、５ｂが掛合する。ここで、螺旋溝７ｂと螺旋溝７ｃの傾斜角は異なっている。
【００２１】
ケース２内にはガイド部材２ａが設けられている。このガイド部材２ａはケース２内に位置する筒体であり、その周壁に突起５ａ、６ａが係合する光軸方向の縦溝２ａ１、２ａ２が設けられている。カム部材７は、このようなガイド部材２ａの外周に沿って回動自在に装着する。このとき、突起５ａを螺旋溝７ｂに掛合させるとともに縦溝２ａ１に係合させてカム部材７を回動させれば、第一レンズ保持部材５は縦溝２ａ１に沿って進退移動をする。同様に突起６ａを螺旋溝７ｃに係合させるとともに縦溝２ａ２に係合させてカム部材７を回動させれば第二レンズ保持部材は縦溝２ａ２に沿って進退移動をする。このとき、前記のように螺旋溝７ｂと螺旋溝７ｃの傾斜角は異なっているので、第一レンズ保持部材５に保持された変倍用第一レンズ３、第二レンズ保持部材６に保持された変倍用第二レンズ４は、進退移動するだけでなく、両者の間隔も変化する。ここで、カム部材７は、外周壁に突片７ａが形成されており、この突片７ａを後述する電歪アクチュエータ８が押すことによりカム部材が回動する。以上の構成が、本発明における変倍用レンズ３、４を光軸方向に進退移動させる駆動手段に相当する。
【００２２】
次に、光学装置３０に取り付けられる電歪アクチュエータ８について説明する。電歪アクチュエータ８は、図４（ａ）の拡大斜視図、図４（ｂ）の拡大展開図に示すように第一電歪アクチュエータ８ｂと第二電歪アクチュエータ８ｃとを一体成形した一体型電歪アクチュエータである。ここで、電歪アクチュエータ８は、柔軟性の高い絶縁膜であるシリコン膜８ｄの両面にカーボンパウダーを塗布して形成した電極層８ｅを有する構成となっている。
【００２３】
ここで電極層８ｅの構成について、図４（ｃ）または図４（ｄ）を用いて詳細に説明する。図４（ｃ）は図４（ｂ）のＣ−Ｃ線断面図である。図４（ｃ）に示すように、シリコン膜８ｄの第一電歪アクチュエータ８ｂの領域の表面と裏面とに電極８ｅ１と電極８ｅ２とが設けられている。また、第二電歪アクチュエータ８ｃの領域の表面と裏面とに電極８ｅ３と電極８ｅ４とが設けられている。このように、第一電歪アクチュエータ８ｂと第二電歪アクチュエータ８ｃとで別々に電極が設けられているので、各々が独立して駆動できるようになっている。また、電極８ｅは、図４（ｄ）に示すように、第一電歪アクチュエータ８ｂと第二電歪アクチュエータ８ｃのグランド電極を共有するようにしてもよい。つまり、グランド電極８ｅ５をシリコン膜８ｄの一方の面の全面に設け、他方の面の第一電歪アクチュエータ８ｂの領域に電極８ｅ２を、第二電歪アクチュエータ８ｃの領域に電極８ｅ４を設けてもよい。また、展開した状態で図４（ｂ）に示すような帯状のものを、図４（ａ）に示すように、円弧状の第二電歪アクチュエータ８ｃが円弧状の第一電歪アクチュエータ８ｂの内側に位置するようにロール状に成形している。第一電歪アクチュエータ８ｂの幅と第二電歪アクチュエータ８ｃの幅とを比較すると、第二電歪アクチュエータ８ｃの方が幅狭となっている。このような第一電歪アクチュエータ８ｂと第二電歪アクチュエータ８ｃとの境界部分には光軸方向の幅を狭くした、固定部であるくびれ部８ａが形成されている。くびれ部８ａはケース２と押え板９とで伸縮できないように固定されているので、第一及び第二電歪アクチュエータ８ｂ、８ｃの伸縮がくびれ部８ａを伝わることはない。このため、第一及び第二電歪アクチュエータ８ｂ、８ｃは各々独立して駆動できる。このような電歪アクチュエータ８の電極層８ｅには図示しないリード線が接続される。
【００２４】
このような電歪アクチュエータ８は図５に示すようにケース２内に取り付けるが、このケース２の形状について説明する。ケース２は前記のように、内部にガイド部材２ａを有する。また、最外周に外周壁２ｂを有し、さらにガイド部材２ａと外周壁２ｂとの間に中間壁２ｃを有している。この中間壁２ｃには、溝２ｃ１が設けられている。
【００２５】
電歪アクチュエータ８は、このような形状のケース２の溝２ｃ１にくびれ部８ａを一致させてケース２内に取り付ける。すなわち、図３（ｂ）に示したように、ケース２の外周壁２ｂと中間壁２ｃとの間に形成された空間に第一電歪アクチュエータ８ｂを収容し、ガイド部材２ａの外周に沿って装着したカム部材７と中間壁２ｃとの間に形成された空間に第二電歪アクチュエータ８ｃを収納する。このとき、第二電歪アクチュエータ８ｃの先端部はカム部材７の突片７ａに当接させ接着固定される。また、第一電歪アクチュエータ８ｂもケース２内で光軸を中心に周方向の伸長が規制されるように取り付ける。
【００２６】
このようにケース２に取り付けた電歪アクチュエータ８の第二電歪アクチュエータ８ｃの上側には押え板９を装着する。押え板９は、図６に示すように第二電歪アクチュエータ８ｃに当接する側に突起９ａを有していいる。押え板９は、この突起９ａの位置を電歪アクチュエータ８のくびれ部８ａの位置に合わせて装着する。このように押え板９を装着することにより第二電歪アクチュエータ８ｃの光軸方向の伸長を規制している。
【００２７】
このように装着した押え板９の上方には、焦点調節用レンズ１１を保持した第三レンズ保持部材１０を載置するが、この第三レンズ保持部材１０は第一電歪アクチュエータ８ｂの縁部で支持する。これにより第一電歪アクチュエータ８ｂの光軸方向の伸長により焦点調節用レンズ１１が光軸方向に移動できる。
【００２８】
第三レンズ保持部材１０を装着した後は、ばね材１３を介装して蓋材１２を取り付ける。このばね材１３は、光軸方向の基板１側へ各レンズを付勢するものである。すなわち、各電歪アクチュエータは、電圧の印加を停止し、又は軽減すると、自然とシリコン膜８ｄの歪が解消され、各レンズは初期位置に復帰しようとするが、ばね材１３を介装することにより各レンズの迅速な復帰を可能としている。
【００２９】
光学装置３０は、以上のように構成される。次にこのように構成された光学装置３０の動作について説明する。
【００３０】
光学装置３０は、電歪アクチュエータ８のドライバ１４を介して電歪アクチュエータの電極層８ｅに通電し電圧を印加すると、電極層８ｅが引き寄せられ、シリコン膜８ｄが押し潰されるような力を受ける。このため、シリコン膜８ｄは、光軸方向及び光軸方向と直行する方向に広がろうとする。
【００３１】
ここで、まず、第一電歪アクチュエータ８ｂの動作について説明する。第一電歪アクチュエータ８ｂは、前記のように光軸を中心に周方向の伸縮が規制されているので、シリコン膜８ｄが押し潰された分は、そのほとんどが光軸方向の伸長に費やされる。このように第一電歪アクチュエータ８ｂが光軸方向に伸長することにより焦点調節用レンズ１１を保持した第三レンズ保持部材１０は初期位置から光軸方向の撮像素子３１から遠ざかる方向に移動する。
【００３２】
一方の第二電歪アクチュエータ８ｃは、押え板９により光軸方向の伸長を規制されているので、シリコン膜８ｄが押し潰された分は、そのほとんどが光軸を中心に周方向の伸縮に費やされる。第二電歪アクチュータ８ｃは光軸を中心に周方向に伸長することによりカム部材７の突片７ａを押し、カム部材７を初期位置から回転させる。カム部材７が回転すことにより、変倍用第一レンズ３を保持する第一レンズ保持部材５、変倍用第二レンズ４を保持する第二レンズ保持部材６は光軸方向の撮像素子３１から遠ざかる方向に移動する。
【００３３】
ここで、第一電歪アクチュエータ８ｂ、第二電歪アクチュエータ８ｃ一体成形した一体型電歪アクチュエータであるが、くびれ部８ａを介して一体としているため、第一電歪アクチュエータ８ｂと第二電歪アクチュエータ８ｃの光軸を中心に周方向の伸縮に関し、相互に影響を及ぼすことはない。すなわち、固定部であるくびれ部８ａがケース２と押え板９とで固定されているため、くびれ部８ａの左右の伸縮はくびれ部８ａを伝わっていくことはない。
【００３４】
以上のように動作する光学装置３０は、電極層８ｅに印加する電圧を調節することによって電歪アクチュエータ８の伸長量を制御し、各レンズを所望の距離移動させて所望の倍率を得、焦点を合わせることができる。なお、電極層８ｅへの電圧の印加を停止し、又は低下させたときには、ばね材１３の作用によりレンズ１１を迅速に所定の位置に戻すことができる。また、レンズ３、４は第二電歪アクチュエータ８ｃの電圧印加を停止または低下させたときの縮む力で所定の位置に戻すことができる。
【実施例２】
【００３５】
次に、本発明の実施例２について説明する。図７は、実施例１の光学装置３０に用いた電歪アクチュエータ８に代えて用いることのできる第一電歪アクチュエータ１５と、第二電歪アクチュエータ１６の斜視図である。すなわち、実施例１の電歪アクチュエータ８は、第一電歪アクチュエータ８ｂと第二電歪アクチュエータ８ｃを一体的に形成した一体型であったのに対し、実施例２では、第一電歪アクチュエータ１５と、第二電歪アクチュエータ１６とを別体としている。
【００３６】
このように、第一電歪アクチュエータ１５と、第二電歪アクチュエータ１６とを別体としたときには、それぞれの電歪アクチュエータに配線を施し、個々に電圧を印加する制御を行う。従って、焦点調節用レンズ１１、変倍用レンズ３、４を独立して制御することが可能である。
【００３７】
なお、他の構成要素については、実施例１と同様の構成とすることができるので、その詳細な説明は省略する。
【００３８】
上記実施例は本発明を実施するための例にすぎず、本発明はこれらに限定されるものではなく、これらの実施例を種々変形することは本発明の範囲内であり、更に本発明の範囲内において、他の様々な実施例が可能であることは上記記載から自明である。例えば、焦点調節用レンズ１１の初期位置等への戻しは、ばね材１３で行っていたが、電圧の印加を停止したときの第一電歪アクチュエータ８ｂの縮む力でレンズの位置を戻してもよい。このときは、第三レンズ保持部材１０と第一電歪アクチュエータ８ｂとの当接面は接着剤等で固着させている。また、変倍用レンズ３、４の移動は、カム部材７の突片７ａと第二電歪アクチュエータ８ｃ（または１６）とが接着固定されて行われていたが、これに限らず、図８に示すように、第二電歪アクチュエータ８ｃ（または１６）の突片７ａと当接する側の端部に長穴８ｆを設け、その長穴８ｆに突片７ａを係合させるようにしてもよい。また、電歪アクチュエータは加工工程で調整するとほぼ特定の方向のみに伸長させることも可能なため、第一電歪アクチュエータ８ｂの領域と第二電歪アクチュエータ８ｃの領域とで加工を調整して特定方向のみ伸長させるようにしてもよい。また、望まない方向への伸長を規制せず、望まない方向の伸びる空間を予め設けておくようにしてもよい。
【図面の簡単な説明】
【００３９】
【図１】本発明の光学装置の分解斜視図である。
【図２】図１記載の光学装置の各構成部品の形状が明確となるように各構成部品の一部分を切り取った状態とした分解斜視図である。
【図３】（ａ）及び（ｂ）は、それぞれ図１に記載の組み立てた状態の光学装置の断面図であり、（ａ）は、（ｂ）におけるＢ−Ｂ断面図、（ｂ）は、（ａ）におけるＡ−Ａ断面図である。
【図４】（ａ）は、図１に記載の光学装置に組み込まれる電歪アクチュエータの拡大斜視図であり、（ｂ）は、（ａ）に記載の電歪アクチュエータの拡大展開図である。（ｃ）は、電歪アクチュエータの電極の構成を示すＣ−Ｃ断面図であり、（ｄ）は、電極の構成の他の実施例を示す断面図である。
【図５】図１記載の光学装置に装着するケースに電歪アクチュエータを取り付けた状態を示すものであり、ケースの外周壁を破断した説明図である。
【図６】図１記載の光学装置に装着する押え板の拡大斜視図である。
【図７】実施例２の光学装置に装着する第一電歪アクチュエータ及び第二電歪アクチュエータの拡大斜視図である。
【図８】（ａ）はその他の実施例における電歪アクチュエータの正面図である。（ｂ）は、長穴に突片を係合させた部分の断面図である。
【符号の説明】
【００４０】
１  基板
２  ケース
２ａ  ガイド部材
３  変倍用第一レンズ
４  変倍用第二レンズ
５  第一レンズ保持部材
６  第二レンズ保持部材
７  カム部材
７ｂ、７ｃ  螺旋溝
８  電歪アクチュエータ
８ａ  固定部（くびれ部）
８ｂ  第一電歪アクチュエータ
８ｃ  第二電歪アクチュエータ
８ｄ  シリコン膜
８ｅ  電極層
９  押え板
１０  第三レンズ保持部材
１１  焦点調節用レンズ
１２  蓋材
１３  ばね材
１４  ドライバ
３０  光学装置
３１  撮像素子
【図１】
2006058657.tif 000003
【図２】
2006058657.tif 000004
【図３】
2006058657.tif 000005
【図４】
2006058657.tif 000006
【図５】
2006058657.tif 000007
【図６】
2006058657.tif 000008
【図７】
2006058657.tif 000009
【図８】
2006058657.tif 000010